(57)【要約】      （修正有）【課題】より正確に眼底上に基準位置を設定するための眼科システムおよび眼科システム制御プログラムを提供する。【解決手段】マイクロペリメータのＣＰＵは、第１眼底正面画像を取得する（Ｓ２１）。第１眼底正面画像は、被検眼のＯＣＴ画像に基づき生成された、または、ＯＣＴ画像の撮影時に撮影された、被検眼の眼底の正面画像である。ＣＰＵは、第１基準位置を取得する（Ｓ２２）。第１基準位置は、ＯＣＴ画像に基づき第１眼底正面画像上に設定される、被検眼の眼底の形態的特徴位置である。ＣＰＵは、第２眼底正面画像を取得する（Ｓ２３）。第２眼底正面画像は、被検眼の眼底の正面画像であり、第１眼底正面画像とは異なる画像である。ＣＰＵは、第１眼底正面画像と第２眼底正面画像とを位置合わせすることで、第２眼底正面画像において第１基準位置に対応する位置を、第２基準位置として設定する（Ｓ２５）。【選択図】図３
2019024735.tif 000002
【特許請求の範囲】
【請求項１】
光コヒーレンストモグラフィ装置によって撮影された被検眼のＯＣＴ画像に基づき生成された、または、前記ＯＣＴ画像の撮影時に撮影された、前記被検眼の眼底の正面画像である第１眼底正面画像を取得する第１正面画像取得手段と、
前記ＯＣＴ画像に基づいて前記第１眼底正面画像上に設定される基準位置であり、前記被検眼の眼底の形態的特徴位置である第１基準位置を取得する第１基準位置取得手段と、
前記被検眼の眼底の正面画像であり、前記第１眼底正面画像とは異なる画像である第２眼底正面画像を取得する第２正面画像取得手段と、
前記第１眼底正面画像と前記第２眼底正面画像とを位置合わせすることで、前記第２眼底正面画像において前記第１基準位置に対応する位置を、前記第２眼底正面画像上の基準位置である第２基準位置として設定する第２基準位置設定手段と、
を備えることを特徴とする眼科システム。
【請求項２】
請求項１に記載の眼科システムであって、
前記第１基準位置は、前記ＯＣＴ画像において、前記被検眼の中心窩を示す形態的特徴を有する位置であることを特徴とする眼科システム。
【請求項３】
請求項２に記載の眼科システムであって、
前記第１基準位置は、前記ＯＣＴ画像における、視細胞内節外節接合部（ＩＳ／ＯＳ）ラインにおける隆起位置であることを特徴とする眼科システム。
【請求項４】
請求項２に記載の眼科システムであって、
前記第１基準位置は、前記ＯＣＴ画像における、視神経乳頭と黄斑とを結ぶ直線および耳側縫線（ｔｅｍｐｏｒａｌ  ｒａｐｈｅ）の交点であることを特徴とする眼科システム。
【請求項５】
請求項１から４の何れかに記載の眼科システムであって、
前記ＯＣＴ画像に基づき、前記第１眼底正面画像上に前記第１基準位置を設定する第１基準位置設定手段を更に備えることを特徴とする眼科システム。
【請求項６】
請求項１から５の何れかに記載の眼科システムであって、
前記第１眼底正面画像における前記被検眼の視神経乳頭および網膜血管の少なくとも一方の位置を取得する照合位置取得手段を更に備え、
前記第２基準位置設定手段は、前記照合位置取得手段によって取得された、前記第１眼底正面画像における前記視神経乳頭および網膜血管の少なくとも一方の位置と、前記第２眼底正面画像における前記視神経乳頭および網膜血管の少なくとも一方の位置とを照合することで、前記第２基準位置を設定することを特徴とする眼科システム。
【請求項７】
請求項１から６の何れかに記載の眼科システムであって、
前記被検眼の眼底を撮影することが可能な眼底撮影部と、
前記第２眼底正面画像および前記第２基準位置に基づき、刺激視標を投影する測定点を、前記眼底撮影部によって撮影される前記眼底上に設定する測定点設定手段と、
前記刺激視標を投影する投影部を制御することで、前記測定点設定手段によって設定された前記測定点に前記刺激視標を投影させる投影手段と、
を更に備えることを特徴とする眼科システム。
【請求項８】
請求項１から７の何れかに記載の眼科システムであって、
同一の被検眼の眼底に対して行われた、複数回の撮影および測定の少なくとも何れかの結果を、各々の撮影および測定の少なくとも何れかが行われた際に撮影された眼底正面画像上に設定された各々の前記基準位置を一致させた状態で処理することで、比較データを生成する比較データ生成手段
を更に備えることを特徴とする眼科システム。
【請求項９】
請求項１から７の何れかに記載の眼科システムであって、
異なる被検眼の眼底に対して行われた、複数回の撮影および測定の少なくとも何れかの結果を、各々の撮影および測定の少なくとも何れかが行われた際に撮影された眼底正面画像上に設定された各々の前記基準位置を一致させた状態で処理することで、比較データを生成する比較データ生成手段
を更に備えることを特徴とする眼科システム。
【請求項１０】
眼科システムにおいて実行される眼科システム制御プログラムであって、
前記眼科システムは、前記眼科システムの動作を制御する制御部を備え、
前記眼科システム制御プログラムが前記制御部によって実行されることで、
光コヒーレンストモグラフィ装置によって撮影された被検眼のＯＣＴ画像に基づき生成された、または、前記ＯＣＴ画像の撮影時に撮影された、前記被検眼の眼底の正面画像である第１眼底正面画像を取得する第１正面画像取得ステップと、
前記ＯＣＴ画像に基づいて前記第１眼底正面画像上に設定される基準位置であり、前記被検眼の眼底の形態的特徴位置である第１基準位置を取得する第１基準位置取得ステップと、
前記被検眼の眼底の正面画像であり、前記第１眼底正面画像とは異なる画像である第２眼底正面画像を取得する第２正面画像取得ステップと、
前記第１眼底正面画像と前記第２眼底正面画像とを位置合わせすることで、前記第２眼底正面画像において前記第１基準位置に対応する位置を、前記第２眼底画像上の基準位置である第２基準位置として設定する第２基準位置設定ステップと、
を前記眼科システムに実行させることを特徴とする眼科システム制御プログラム。
【発明の詳細な説明】
【技術分野】
【０００１】
本開示は、眼科システムおよび眼科システム制御プログラムに関する。
【背景技術】
【０００２】
従来、眼科システムの一例として、視野検査装置が知られている。例えば、特許文献１に開示されている視野検査装置は、光コヒーレンストモグラフィ装置による解析結果を取得する。視野検査装置は、取得した解析結果に基づき、刺激視標の呈示領域を設定し、呈示領域内に複数の測定点を設定する。視野検査装置は、設定された複数の測定点に順次刺激視標を呈示して、視野検査を行う。
【先行技術文献】
【特許文献】
【０００３】
【特許文献１】特開２０１２−１００７１３号公報
【発明の概要】
【発明が解決しようとする課題】
【０００４】
被検眼の検査、測定、診断、および治療等（以下、単に「検査等」という場合もある）の少なくともいずれかを行う場合、被検眼の眼底における所定の位置を基準位置として、複数の検査等の対象位置を合わせることが望ましい。しかし、従来の技術では、基準位置を正確に設定することは困難である。
【０００５】
例えば、視野検査において被検眼に固視標を呈示し、被検眼の眼底において固視標が捉えられた部位を、眼底正面画像における基準位置として設定することも考えられる。この場合、基準位置は、被検眼の状態等の種々の影響によって変動する可能性があるので、基準位置が正確に定まりにくい。また、眼底正面画像から、眼底上の所定の位置（例えば、黄斑の位置、または視神経乳頭の位置等）を基準位置として設定する方法も考えられる。しかし、この方法でも、眼底正面画像の画質等の種々の影響で、基準位置が正確に定まらない場合が多い。従って、従来の技術では、眼底上に正確に基準位置を設定することは困難であった。
【０００６】
本開示の典型的な目的は、より正確に眼底上に基準位置を設定するための眼科システムおよび眼科システム制御プログラムを提供することである。
【課題を解決するための手段】
【０００７】
本開示における典型的な実施形態が提供する眼科システムは、光コヒーレンストモグラフィ装置によって撮影された被検眼のＯＣＴ画像に基づき生成された、または、前記ＯＣＴ画像の撮影時に撮影された、前記被検眼の眼底の正面画像である第１眼底正面画像を取得する第１正面画像取得手段と、前記ＯＣＴ画像に基づいて前記第１眼底正面画像上に設定される基準位置であり、前記被検眼の眼底の形態的特徴位置である第１基準位置を取得する第１基準位置取得手段と、前記被検眼の眼底の正面画像であり、前記第１眼底正面画像とは異なる画像である第２眼底正面画像を取得する第２正面画像取得手段と、前記第１眼底正面画像と前記第２眼底正面画像とを位置合わせすることで、前記第２眼底正面画像において前記第１基準位置に対応する位置を、前記第２眼底正面画像上の基準位置である第２基準位置として設定する第２基準位置設定手段と、を備える。
【０００８】
本開示における典型的な実施形態が提供する眼科システム制御プログラムは、眼科システムにおいて実行されるプログラムであって、前記眼科システムは、前記眼科システムの動作を制御する制御部を備え、前記眼科システム制御プログラムが前記制御部によって実行されることで、光コヒーレンストモグラフィ装置によって撮影された被検眼のＯＣＴ画像に基づき生成された、または、前記ＯＣＴ画像の撮影時に撮影された、前記被検眼の眼底の正面画像である第１眼底正面画像を取得する第１正面画像取得ステップと、前記ＯＣＴ画像に基づいて前記第１眼底正面画像上に設定される基準位置であり、前記被検眼の眼底の形態的特徴位置である第１基準位置を取得する第１基準位置取得ステップと、前記被検眼の眼底の正面画像であり、前記第１眼底正面画像とは異なる画像である第２眼底正面画像を取得する第２正面画像取得ステップと、前記第１眼底正面画像と前記第２眼底正面画像とを位置合わせすることで、前記第２眼底正面画像において前記第１基準位置に対応する位置を、前記第２眼底画像上の基準位置である第２基準位置として設定する第２基準位置設定ステップと、を前記眼科システムに実行させる。
【０００９】
本開示に係る眼科システムおよび眼科システム制御プログラムによると、より正確に眼底上に基準位置を設定することができる。
【図面の簡単な説明】
【００１０】
【図１】眼科システム１００の構成を説明するための概略図である。
【図２】第１基準位置設定処理のフローチャートである。
【図３】実施形態の眼科システム制御処理のフローチャートである。
【図４】ＯＣＴ画像１０１、第１眼底正面画像１０２、第２眼底正面画像２０１、および第１眼底正面画像１０２と第２眼底正面画像２０１との位置合わせを説明するための図である。
【図５】変形例の眼科システム制御処理のフローチャートである。
【発明を実施するための形態】
【００１１】
＜概要＞
本開示で例示する眼科システムは、処理を制御する制御部を備える。制御部は、第１眼底正面画像を取得する。第１眼底正面画像は、光コヒーレンストモグラフィ装置によって撮影された被検眼のＯＣＴ画像に基づき生成された、または、ＯＣＴ画像の撮影時に撮影された、被検眼の眼底の正面画像である。制御部は、第１基準位置を取得する。第１基準位置は、ＯＣＴ画像に基づいて第１眼底正面画像上に設定される基準位置であり、被検眼の眼底の形態的特徴位置である。制御部は、第２眼底正面画像を取得する。第２眼底正面画像は、被検眼の眼底の正面画像であり、第１眼底正面画像とは異なる画像である。制御部は、第１眼底正面画像と第２眼底正面画像とを位置合わせすることで、第２眼底正面画像において第１基準位置に対応する位置を、第２眼底正面画像上の基準位置である第２基準位置として設定する。この場合、ＯＣＴ画像に基づいて第１眼底正面画像上に設定された形態的特徴位置（第１基準位置）に対応する位置を、第２眼底正面画像において第２基準位置として設定することができる。従って、第２眼底正面画像において、形態的に、より正確な第２基準位置を設定することができる。よって、第２眼底正面画像を用いて、より正確に検査、測定、診断、および治療等の少なくとも何れかを行うことが可能となる。
【００１２】
なお、第２基準位置の設定は、自動で行われても手動で行われてもよい。第２基準位置の設定が自動で行われる場合、眼底システムは、第１眼底正面画像と第２眼底正面画像とを、画像処理技術を用いて照合して位置合わせすることで、第２基準位置を設定してもよい。この場合、ユーザの手間を軽減することができる。第２基準位置の設定が手動で行われる場合、例えば、眼科システムは、第１眼底正面画像と第２眼底正面画像を表示部に表示させながら、入力部を介してユーザの指示を受け付けてもよい。眼科システムは、受け付けた指示に従って第１眼底正面画像と第２眼底正面画像を位置合わせすることで、第２基準位置を設定してもよい。この場合、ユーザは、任意に第２基準位置を設定することができる。
【００１３】
また、第１眼底正面画像と第２眼底正面画像とは、撮影又は生成する装置、撮影又は生成される時期（タイミング）、又は、その両方が異なる画像であってもよい。
【００１４】
また、眼科システムは、１つの装置で構成されていてもよいし、複数の装置で構成されていてもよい。眼科システムが複数の装置で構成されている場合、複数の装置は、例えば、有線又は無線通信により、画像等のデータの授受を行ってもよい。また、例えば、記録媒体を介して、複数の装置間で画像等のデータの授受が行われてもよい。また、眼科システムは、例えば、マイクロペリメータ、パーソナルコンピュータ、画像処理専用機等の少なくとも何れかを含んでいてもよい。
【００１５】
第１基準位置は、ＯＣＴ画像において、被検眼の中心窩を示す形態的特徴を有する位置であってもよい。この場合、第２基準位置は、被検眼の中心窩を示す位置に対応する。よって、第２眼底正面画像を用いた検査、測定、診断、および治療等の少なくとも何れかを、中心窩を基準位置としてより正確に行うことができる。
【００１６】
なお、第１基準位置は、ＯＣＴ画像において、被検眼の中心窩以外の部位（例えば、視神経乳頭、網膜血管の分岐点等）を示す形態的特徴を有する位置であってもよい。また、第１基準位置は、ＯＣＴ画像において、眼底正面画像では位置を特定することが難しい病変部位（例えば、マクラマイクロホール（Ｍａｃｕｌａ  Ｍｉｃｒｏ  ｈｏｌｅ）、急性帯状潜在網膜外層症（ＡＺＯＯＲ）の部位等）を示す形態的特徴を有する位置であってもよい。この場合でも、ＯＣＴ画像に基づいて第１基準位置が設定されることで、基準位置がより正確に設定される。
【００１７】
第１基準位置は、ＯＣＴ画像における、視細胞内節外節接合部（ＩＳ／ＯＳ）ラインにおける隆起位置であってもよい。この場合、第１基準位置は、ＯＣＴ画像において、形態的に顕著な特徴を有する位置となる。従って、形態的に更に正確な第２基準位置を決定することができる。
【００１８】
なお、ＩＳ／ＯＳラインの隆起位置を特定する方法は、適宜選択できる。例えば、ＯＣＴ画像の一種である三次元の眼底断層画像に基づいて、ＩＳ／ＯＳラインの頂点位置が隆起位置として特定されてもよい。また、ＩＳ／ＯＳラインと網膜色素上皮との間の距離が最も大きい位置が、ＩＳ／ＯＳラインの隆起位置として、眼底断層画像に基づいて特定されてもよい。
【００１９】
第１基準位置は、ＯＣＴ画像における、視神経乳頭と黄斑とを結ぶ直線および耳側縫線（ｔｅｍｐｏｒａｌ  ｒａｐｈｅ）の交点であってもよい。この場合、第１基準位置は、ＯＣＴ画像において、形態的に顕著な特徴を有する位置となる。従って、形態的に更に正確な第２基準位置を決定することができる。
【００２０】
なお、視神経乳頭と黄斑とを結ぶ直線は、例えば、乳頭黄斑束（ｐａｐｉｌｌｏｍａｃｕｌａｒ  ｂｕｎｄｌｅ）が視神経乳頭側で収束する部位と、乳頭黄斑束が黄斑側で収束する部位とを結ぶ直線である。
【００２１】
視神経乳頭と黄斑とを結ぶ直線および耳側縫線の交点（以下、「基準交点」という）を特定する方法は、適宜選択できる。例えば、ＰＳ−ＯＣＴ（偏光感受ＯＣＴ）によって撮影された眼底の二次元ＯＣＴ画像に基づいて、基準交点が特定されてもよい。ＰＳ−ＯＣＴによって撮影されたＯＣＴ画像には、神経繊維の走行状態が現れ易いので、基準交点がより正確に特定され易い。
【００２２】
また、第１基準位置は、ＩＳ／ＯＳラインにおける隆起位置、および基準交点以外の特徴を有する位置であってもよい。例えば、黄斑、特に中心窩には、カロテノイドが多く存在する。カロテノイドは、特定の波長を吸収する。この特徴を利用して、中心窩を示す第１基準位置が決定されてもよい。
【００２３】
制御部は、ＯＣＴ画像に基づき、第１眼底正面画像上に第１基準位置を設定してもよい。この場合、眼科システムは、第１眼底正面画像上に第１基準位置を設定することができる。つまり、眼科システムは、ＯＣＴ画像に基づき、眼底正面画像において、被検眼の眼底の形態的特徴位置を、第１基準位置として設定することができる。
【００２４】
なお、第１基準位置の設定は、自動で行われても手動で行われてもよい。第１基準位置の設定が自動で行われる場合、眼底システムは、ＯＣＴ画像に対して画像処理を行うことで、被検眼の眼底の形態的特徴位置を特定して、第１基準位置を設定してもよい。この場合、ユーザの手間を軽減することができる。第１基準位置の設定が手動で行われる場合、例えば、眼科システムは、ＯＣＴ画像を表示部に表示させた状態で、入力部を介してユーザの指示を受け付ければよい。眼科システムは、受け付けた指示に従って、第１基準位置を設定すればよい。この場合、ユーザは、ＯＣＴ画像を見ながら任意に第１基準位置を設定することができる。
【００２５】
制御部は、第１眼底正面画像における被検眼の視神経乳頭および網膜血管の少なくとも一方の位置を取得してもよい。制御部は、第１眼底正面画像における前記視神経乳頭および網膜血管の少なくとも一方の位置と、第２眼底正面画像における視神経乳頭および網膜血管の少なくとも一方の位置とを照合することで、第２基準位置を設定してもよい。この場合、眼科システムは、視神経乳頭および網膜血管の少なくとも一方の位置に基づき、容易に且つ正確に第１眼底正面画像と第２眼底正面画像とを照合することができる。従って、より容易且つ正確に第２基準位置を設定することができる。
【００２６】
ただし、眼科システムは、第１眼底正面画像における被検眼の視神経乳頭および網膜血管の位置を取得しなくてもよい。この場合、例えば、眼科システムは、第１眼底正面画像と前記第２眼底正面画像の相対位置を移動させながら、２つの眼底正面画像間の相関値を算出し、相関値が最も高くなる相対位置を探索することで、２つの眼底正面画像を照合してもよい。また、視神経乳頭および網膜血管以外の位置を、照合の基準とする位置として用いてもよい。
【００２７】
眼科システムは、前記被検眼の眼底を撮影することが可能な眼底撮影部を更に備えてもよい。制御部は、第２眼底正面画像および第２基準位置に基づき、刺激視標を投影する測定点を、眼底撮影部によって撮影される眼底上に設定してもよい。制御部は、投影部を制御することで、測定点に刺激視標投影させてもよい。この場合、眼科システムは、測定点を、形態的に、より正確に設定することができる。また、形態的に、より正確な位置に設定された測定点に、刺激視標を投影することができる。
【００２８】
なお、眼科システムは、眼底断層画像に基づき、被検眼の網膜の厚さが閾値以上と判断される部位と網膜の厚さが閾値未満と判断される部位との境界についての情報である境界情報を取得してもよい。制御部は、第２眼底正面画像が示す眼底領域のうち一部の領域であって、境界情報が示す境界を含む領域内に測定点を決定してもよい。被検眼の視野の変化に伴い、境界の位置は徐々に変化する。従って、眼底領域のうち境界付近の一部の領域に限定して測定点を決定することで、検査範囲をそれ程拡げずに、境界の位置の変化を調べることができる。よって、効率よい検査が可能になり、検査時間を短縮することができる。
【００２９】
制御部は、同一の被検眼の眼底に対して行われた、複数回の撮影および測定の少なくとも何れかの結果を、各々の撮影および測定の少なくとも何れかが行われた際に撮影された眼底正面画像上に設定された各々の基準位置を一致させた状態で処理することで、比較データを生成してもよい。この場合、同一の被検眼の眼底に対する複数回の撮影および測定の少なくともいずれかの結果を、より正確に処理することができる。従って、同一の被検眼の眼底について、高精度の比較データを生成することができる。
【００３０】
なお、比較データを生成する処理は、種々の方法によって行われてもよい。一例として、複数回の撮影の結果得られた画像が、眼底正面画像上に設定された各々の基準位置を一致させた状態で画像処理されて、画像データが生成されてもよい。また、他の一例として、複数回の撮影および測定の少なくとも何れかの結果が、眼底正面画像上に設定された各々の基準位置を一致させた状態で解析されて、解析データが生成されてもよい。また、他の一例として、複数回の撮影および測定の結果が、眼底正面画像上に設定された各々の基準位置を一致させた状態で解析されてもよい。この場合、撮影の結果得られた画像と解析結果とが基準位置を基準に対応付けされた比較データが生成されてもよい。
【００３１】
また、同一の被検眼の眼底に対して、複数回の撮影および測定の少なくとも何れかが、複数の装置によって行われてもよい。この場合、複数の装置による撮影および測定の少なくとも何れかの結果が処理されて、比較データが生成されてもよい。この場合、より正確にマルティモダリティ解析を行うことができる。
【００３２】
また、同一の被検眼の眼底に対して、複数回の撮影および測定の少なくとも何れかが、同一の装置によって行われて、比較データが生成されてもよい。この場合、同一の装置（モダリティ）による撮影および測定の少なくとも何れかの結果をより正確に比較することができる。従って、例えば、同一の被検眼の眼底に対する経過観察を、より正確に行うことができる。
【００３３】
制御部は、異なる被検眼の眼底に対して行われた、複数回の撮影および測定の少なくとも何れかの結果を、各々の撮影および測定の少なくとも何れかが行われた際に撮影された眼底正面画像上に設定された各々の基準位置を一致させた状態で処理することで、比較データを生成してもよい。この場合、異なる被検眼の眼底に対する撮影および測定の少なくとも何れかの結果をより正確に比較することができる。従って、異なる被検眼の眼底について、高精度の比較データを生成することができる。よって、例えば、正常眼の眼底に対する撮影または測定の結果（例えば、所謂「正常眼データベース」等）と、被検眼の眼底に対する撮影または測定の結果とを、より正確に比較することができる。
【００３４】
＜実施形態＞
以下、本開示における典型的な実施形態の例について、図面を参照して説明する。一例として、本実施形態の眼科システム１００は、光コヒーレンストモグラフィ（ＯＣＴ）装置１およびマイクロペリメータ（局所視野計）２を備える。まず、図１を参照して、ＯＣＴ装置１およびマイクロペリメータ２の概略構成について説明する。図１に示すように、ＯＣＴ装置１は、ＣＰＵ１１、ＲＡＭ１２、ＲＯＭ１３、不揮発性メモリ（Ｎｏｎ−Ｖｏｌａｔｉｌｅ  Ｍｅｍｏｒｙ：ＮＶＭ）１４、ＯＣＴ部１５、入力部１６、およびドライブ装置１７を備え、これらは電気的に接続されている。
【００３５】
ＣＰＵ１１は、ＯＣＴ装置１における各部の制御（例えば、ＯＣＴ部１５の制御等）を司る。ＲＡＭ１２は、各種情報を一時的に記憶する。ＲＯＭ１３には、各種プログラム、初期値等が記憶されている。不揮発性メモリ１４は、電源の供給が遮断されても記憶内容を保持できる非一過性の記憶媒体である。例えば、ハードディスクドライブ、フラッシュＲＯＭ、および着脱可能なＵＳＢメモリ等を不揮発性メモリ１４として使用してもよい。本実施形態では、後述する第１基準位置設定処理（図２参照）を実行するための第１基準位置設定プログラム等が不揮発性メモリ１４に記憶される。
【００３６】
入力部１６は、各種入力を受け付けることができる。入力部１６は、少なくとも１つの入力装置を含む。入力部１６は、例えば、マウス、キーボード、ジョイスティック、タッチパネル、マイク等の少なくとも何れかを含む。ドライブ装置１７は、コンピュータが読み取り可能な記憶媒体３（例えば、半導体メモリ等）に、情報を書き込むことができる。また、ドライブ装置１７は、記憶媒体３に記憶された情報を読み出すことができる。ＣＰＵ１１は、記憶媒体３に記憶されたデータをドライブ装置１７によって読み出し、不揮発性メモリ１４に記憶することができる。
【００３７】
図示しないが、ＯＣＴ部１５は、例えば、測定光源、光分割器、光合成器、投光光学系、および検出器を備える。測定光源は、被検物（本実施形態では被検眼）の内部情報および偏光状態等の少なくともいずれかを取得するための光を出射する。なお、ＯＣＴ部１５には、種々の方式（例えば、ＳＤ−ＯＣＴ（Ｓｐｅｃｔｒａｌ−Ｄｏｍａｉｎ  ＯＣＴ）、ＳＳ−ＯＣＴ（Ｓｗｅｐｔ−Ｓｏｕｒｃｅ  ＯＣＴ）、ＴＤ−ＯＣＴ（Ｔｉｍｅ−Ｄｏｍａｉｎ  ＯＣＴ）、ＰＳ−ＯＣＴ（Ｐｏｌａｒｉｚａｔｉｏｎ  Ｓｅｎｓｉｔｉｖｅ  ＯＣＴ）等）を用いることができる。ＰＳ−ＯＣＴは、偏光感受ＯＣＴであり、被検物の内部の複屈折性（リタデーション）、偏光軸（アクシスオリエンテーション）、複減衰（ダイアッテネーション）等の少なくともいずれかを取得することができる。
【００３８】
光分割器は、測定光源から出射された光を、測定光と参照光に分割する。光合成器は、被検物に照射されて反射された測定光と、参照光路を通過した参照光とを合成することで、干渉光を生成する。なお、光分割器および光合成器には、種々の構成を採用できる。光分割器と光合成器は別部材であってもよいし、１つの部材（例えばカップラー）が光分割器と光合成器を兼ねてもよい。例えば、光分割器としてカップラーが用いられ、光合成器としてビームスプリッタが用いられてもよい。例えば、光分割器としてビームスプリッタが用いられ、光合成器としてカップラーが用いられてもよい。
【００３９】
投光光学系は、測定光を被検物（例えば、被検眼の眼底等）に導くと共に、被検物によって反射された測定光の反射光を測定光路に導く。本実施形態の投光光学系は、光スキャナおよび対物レンズ系を備える。測定光は、光ファイバを介して光スキャナに向かう。光スキャナは、測定光の偏向方向を変更する。光スキャナによって偏向された測定光は、対物レンズ系によって平行ビームとなって被検物に向けて入射する。光スキャナは、被検物上でＸＹ方向（横断方向）に測定光を走査させることができる。光スキャナには、光の進行方向を変更することが可能な各種構成（例えば、ガルバノミラー、ポリゴンミラー、レゾナントスキャナ、および音響光学素子等）を用いることができる。一例として、本実施形態では２つのガルバノミラーが光スキャナとして用いられる。
【００４０】
検出器は、光合成器によって生成された干渉光の干渉信号を検出する。ＯＣＴ装置１は、検出器によって検出された干渉信号に基づき、被検物のＯＣＴ画像を生成する。このようにして、ＯＣＴ装置１は、被検物のＯＣＴ画像を撮影することができる。
【００４１】
次に、マイクロペリメータ２について説明する。マイクロペリメータ２は、ＣＰＵ２１、ＲＡＭ２２、ＲＯＭ２３、不揮発性メモリ２４、ドライブ装置２５、入力部２６、表示部２７、眼底撮影部２８、および視野計部２９を備え、これらは電気的に接続されている。
【００４２】
ＣＰＵ２１は、マイクロペリメータ２における各部の制御（例えば、眼底撮影部２８の制御、視野計部２９の制御等）を司る。ＲＡＭ２２は、各種情報を一時的に記憶する。ＲＯＭ２３には、各種プログラム、初期値等が記憶されている。不揮発性メモリ２４は、電源の供給が遮断されても記憶内容を保持できる非一過性の記憶媒体である。例えば、ハードディスクドライブ、フラッシュＲＯＭ、および着脱可能なＵＳＢメモリ等を不揮発性メモリ２４として使用してもよい。本実施形態では、後述する眼科システム制御処理（図３参照）を実行するための眼科システム制御プログラム等が不揮発性メモリ２４に記憶される。
【００４３】
ドライブ装置２５は、コンピュータが読み取り可能な記憶媒体３（例えば、半導体メモリ等）に、情報を書き込むことができる。また、ドライブ装置２５は、記憶媒体３に記憶された情報を読み出すことができる。ＣＰＵ２１は、記憶媒体３に記憶されたデータをドライブ装置２５によって読み出し、不揮発性メモリ２４に記憶することができる。入力部２６は、各種入力を受け付けることができる。入力部２６は、少なくとも１つの入力装置を含む。入力部２６は、例えば、マウス、キーボード、ジョイスティック、タッチパネル、マイク等の少なくとも何れかを含む。
【００４４】
表示部２７は、画像を表示可能である。例えば、表示部２７は、不揮発性メモリ２４に記憶されている画像を表示することができる。また、例えば、表示部２７は、眼底撮影部２８で撮影されている画像を表示することができる。
【００４５】
眼底撮影部２８は、被検眼の眼底の正面画像を撮影することができる。眼底撮影部２８には、被検眼の眼底の正面画像を撮影することが可能な各種構成（例えば、赤外カメラ、眼底カメラ、走査型レーザ検眼鏡（ＳＬＯ）等）を用いることができる。本実施形態の眼底撮影部２８は、赤外光源および赤外カメラを備える。本実施形態の赤外光源は、肉眼では不可視の赤外光を出射する。従って、本実施形態の眼底撮影部２８は、被検者が眼を開いた状態で、連続的に被検眼の眼底を撮影することができる。
【００４６】
視野計部２９は、少なくとも投影部３０を備える。投影部３０は、例えば、対物レンズ、縮小レンズ、刺激視標を呈示する液晶ディスプレイ等を備えていてもよい。この場合、液晶ディスプレイに呈示された刺激視標は、縮小レンズ、対物レンズ等を介して、被検眼の眼底に投影される。
【００４７】
図２および図４を参照して、本実施形態のＯＣＴ装置１が実行する第１基準位置設定処理について説明する。第１基準位置設定処理では、被検眼のＯＣＴ画像に基づき、被検眼の眼底の形態的特徴位置が、被検眼の眼底の正面画像（以下、「第１眼底正面画像」という場合もある）上の第１基準位置として設定される。ＯＣＴ装置１のＣＰＵ１１は、第１基準位置設定処理開始の指示を受け付けると、不揮発性メモリ１４に記憶されている第１基準位置設定プログラムに従って、図２に例示する第１基準位置設定処理を実行する。
【００４８】
まず、ＣＰＵ１１は、被検眼のＯＣＴ画像を取得する（Ｓ１）。本実施形態では、例えば、予め撮影された被検眼のＯＣＴ画像が、不揮発性メモリ１４に記憶されている。この場合、ＣＰＵ１１は、不揮発性メモリ２４から、被検眼のＯＣＴ画像を取得する。一例として、本実施形態で取得されるＯＣＴ画像は、被検眼の中心窩を含む二次元の領域に測定光がスキャン（例えばラスタースキャン等）されることで撮影される、眼底の三次元断層画像である。次に、ＣＰＵ１１は、第１眼底正面画像を取得する（Ｓ２）。本実施形態では、ＯＣＴ装置１は、Ｓ１で取得されたＯＣＴ画像に基づき、第１眼底正面画像を生成する。例えば、ＣＰＵ１１は、三次元断層画像データにおけるＸＹ方向の各位置で、深さ方向（Ｚ方向）に輝度値が積算された積算画像データ、ＸＹ方向の各位置でのスペクトルデータの積算値、ある一定の深さ方向におけるＸＹ方向の各位置での輝度データ等を、第１眼底正面画像のデータとして生成してもよい。
【００４９】
なお、第１眼底正面画像は、他の方法で生成されてもよい。例えば、ＯＣＴ装置１が、第１眼底正面画像を撮影可能な撮影部（例えば、眼底カメラ、走査型レーザ検眼鏡等）を更に備えていてもよい。この場合、ＯＣＴ部１５によるＯＣＴ画像撮影時に、撮影部が第１眼底正面画像を撮影してもよい。そして、ＯＣＴ画像と第１眼底正面画像の正面方向からの撮影位置が対応付け可能に、メモリ（例えば、不揮発性メモリ１４等）に記憶されてもよい。また、例えば、ＣＰＵ１１は、第１基準位置設定処理に先立って、第１眼底正面画像を生成し、メモリ（例えば、不揮発性メモリ１４等）に記憶してもよい。この場合、ＣＰＵ１１は、メモリに記憶された第１眼底正面画像を取得してもよい。
【００５０】
Ｓ２を実行後、ＣＰＵ１１は、被検眼のＯＣＴ画像に基づき、被検眼の眼底の形態的特徴位置を、第１眼底正面画像上の第１基準位置として設定する（Ｓ３）。図４を参照して、第１基準位置を設定する方法の一例を説明する。
【００５１】
図４に例示するように、Ｓ１では、ＯＣＴ画像の一種である、眼底断層画像である画像１０１が取得される。図４では、画像１０１は、Ｓ１で取得された眼底の三次元断層画像から抽出される複数の二次元の眼底断層画像のうち、ＩＳ／ＯＳラインの隆起位置を含む二次元の眼底断層画像が例示されている。画像１０１において、線Ｓは、被検眼の網膜の表面を示し、線Ｉは、ＩＳ／ＯＳラインを示し、線Ｒは、網膜色素上皮を示す。画像１０１において、例えば、線Ｉの隆起位置（線Ｆで示す位置）は、被検眼の中心窩を示す形態的特徴位置となる。Ｓ２では、第１眼底正面画像の一例として、第１眼底正面画像である画像１０２が取得される。画像１０２において、位置Ｐ１は、画像１０１における線Ｉの隆起位置（線Ｆで示す位置）に対応する。従って、Ｓ３では、ＣＰＵ１１は、Ｓ１で取得された眼底の三次元断層画像から、ＩＳ／ＯＳラインの隆起位置を特定する。特定した隆起位置に対応する画像１０２上の位置Ｐ１が、第１基準位置として設定される。
【００５２】
なお、ＩＳ／ＯＳラインの隆起位置を特定する方法は、適宜選択できる。例えば、ＩＳ／ＯＳラインと網膜色素上皮との間の距離が最も大きい位置が、ＩＳ／ＯＳラインの隆起位置として、眼底断層画像に基づいて特定されてもよい。また、本実施形態における基準位置は点であるが、点以外の線、または領域等が基準位置として設定されてもよい。
【００５３】
なお、画像１０２においては、被検眼の視神経乳頭１２１および網膜血管が示されている。また、ＯＣＴ画像に基づき二次元的に網膜の厚みを算出した厚みマップ１１０も示されている。本例では、厚みマップ１１０は、領域１１１および領域１１２を含む。例えば、領域１１１は、領域１１２より網膜の厚みが小さい領域である。
【００５４】
次に、図３および図４を参照して、本実施形態のマイクロペリメータ２が実行する眼科システム制御処理について説明する。本実施形態の眼科システム制御処理では、ＯＣＴ画像に基づき第１眼底正面画像上に設定された形態的特徴位置（第１基準位置）に対応する位置が、被検眼の眼底の正面画像であって、第１眼底正面画像とは異なる画像（以下、「第２眼底正面画像」という場合もある）において、第２基準位置として設定される。マイクロペリメータ２のＣＰＵ２１は、眼科システム制御処理開始の指示を受け付けると、不揮発性メモリ２４に記憶されている眼科システム制御プログラムに従って、図３に例示する眼科システム制御処理を実行する。
【００５５】
まず、ＣＰＵ２１は、第１眼底正面画像を取得し（Ｓ２１）、第１基準位置を取得する（Ｓ２２）。例えば、本実施形態において、ＯＣＴ装置１のＣＰＵ１１は、第１眼底正面画像および第１基準位置を、ドライブ装置１７を介して記憶媒体３に記憶してもよい。この場合、ＣＰＵ２１は、記憶媒体３に記憶された第１眼底正面画像および第１基準位置を、ドライブ装置２５によって読み出し、不揮発性メモリ２４に記憶してもよい。ＣＰＵ２１は、不揮発性メモリ２４に記憶されている第１眼底正面画像および第１基準位置を取得してもよい。なお、ＯＣＴ装置１とマイクロペリメータ２とが有線又は無線接続されてもよい。この場合、有線又は無線通信により、マイクロペリメータ２はＯＣＴ装置１から、第１眼底正面画像および第１基準位置のデータを受信してもよい。
【００５６】
Ｓ２２を実行後、ＣＰＵ２１は、第２眼底正面画像を取得する（Ｓ２３）。本実施形態では、例えば、ＣＰＵ２１は、眼底撮影部２８を制御して、眼底撮影部２８による被検眼の眼底の撮影を開始し、第２眼底正面画像を取得する。ＣＰＵ２１は、眼科システム制御処理に先立って、眼底撮影部２８により第２眼底正面画像を撮影し、メモリ（例えば、不揮発性メモリ２４等）に記憶していてもよい。この場合、ＣＰＵ２１は、メモリに記憶された第２眼底正面画像を取得してもよい。
【００５７】
次に、ＣＰＵ２１は、第１眼底正面画像における照合位置を取得する（Ｓ２４）。一例として、本実施形態では、被検眼の視神経乳頭および網膜血管の少なくとも一方の位置が照合位置とされる。図４に例示するように、画像１０２においては、被検眼の視神経乳頭１２１および網膜血管が示されている。ＣＰＵ２１は、例えば、視神経乳頭１２１の位置、および網膜血管の分岐点１２２の位置を取得してもよい。
【００５８】
次に、ＣＰＵ２１は、第１眼底正面画像と第２眼底正面画像とを位置合わせすることで、第２眼底正面画像において第１基準位置に対応する位置を、第２眼底正面画像上の基準位置である第２基準位置として設定する（Ｓ２５）。例えば、ＣＰＵ２１は、Ｓ２４で取得された、第１眼底正面画像における記視神経乳頭および網膜血管の少なくとも一方の位置と、第２眼底正面画像における視神経乳頭および網膜血管の少なくとも一方の位置とを照合することで、第１眼底正面画像と第２眼底正面画像とを位置合わせして第２基準位置を設定してもよい。図４を参照して、第２基準位置を設定する方法の一例を説明する。
【００５９】
図４に例示するように、Ｓ２３では、第２眼底正面画像の一例として、画像２０１が取得される。画像２０１においては、被検眼の視神経乳頭２２１および線状の網膜血管が示されている。Ｓ２５では、例えば、ＣＰＵ２１は、Ｓ２４で取得された、画像１０２における視神経乳頭１２１および網膜血管の分岐点１２２の位置と、画像２０１における視神経乳頭２２１および網膜血管の分岐点２２２の位置とを照合することで、第１眼底正面画像と第２眼底正面画像とを位置合わせしてもよい。そして、ＣＰＵ２１は、第２眼底正面画像において第１基準位置である位置Ｐ１に対応する位置である位置Ｐ２を、第２眼底正面画像上の基準位置である第２基準位置として設定してもよい。なお、「位置合わせ」の処理には、２つの画像の大きさを一致させる処理、および、２つの画像の角度を一致させる処理の少なくともいずれかが含まれてもよいことは言うまでもない。
【００６０】
Ｓ２５を実行後、ＣＰＵ２１は、第１眼底正面画像および第２眼底正面画像を、眼底正面画像上に設定された各々の基準位置を一致させた状態で処理することで、比較データを生成する（Ｓ２６）。本実施形態では、ＣＰＵ２１は、第１眼底正面画像および第２眼底正面画像を、第１基準位置および第２基準位置を一致させた状態で画像処理することで、第１眼底正面画像および第２眼底正面画像を重ね合わせた画像のデータを、比較データとして生成する。次に、ＣＰＵ２１は、Ｓ２６で生成された比較データに基づき、第１眼底正面画像および第２眼底正面画像を重ね合わせた画像を、表示部２７に表示させる（Ｓ２７）。図４を参照して、Ｓ２７で表示される画像の一例を説明する。
【００６１】
図４に例示するように、Ｓ２７では、ＣＰＵ２１は、第１基準位置Ｐ１および第２基準位置Ｐ２を一致させた状態で、第１眼底正面画像１０２および第２眼底正面画像２０１を重ね合わせた画像２０２を、表示部２７に表示させる。なお、画像２０２では、第１眼底正面画像１０２および第２眼底正面画像２０１の大きさおよび角度も一致している。
【００６２】
Ｓ２７を実行後、ＣＰＵ２１は、第２眼底正面画像および第２基準位置に基づき、刺激視標を投影する測定点を、眼底撮影部２８によって撮影される眼底上に設定する（Ｓ２８）。次に、ＣＰＵ２１は、投影部３０を制御し、Ｓ２８で設定された測定点に刺激視標を投影させて、検査を実行する（Ｓ２９）。測定点が複数ある場合には、ＣＰＵ２１は、各測定点に対して刺激視標を順次投影させる。被検者は、刺激視標の視認状態を、入力部２６を用いて応答する。ＣＰＵ２１は、入力部２６からの応答信号を受信し、演算処理を行う。
次に、ＣＰＵ２１は、演算処理の結果に基づき検査結果を生成し、表示部２７に表示させる（Ｓ３０）。ＣＰＵ２１は、眼科システム制御処理終了の指示を受け付けると、眼科システム制御処理を終了する。
【００６３】
上記実施形態は、種々の変更が可能である。上記実施形態において、第１基準位置は、ＯＣＴ画像において、被検眼の中心窩を示す形態的特徴を有する位置である。しかしながら、第１基準位置は、ＯＣＴ画像において、被検眼の中心窩以外の部位（例えば、視神経乳頭、網膜血管の分岐点等）を示す形態的特徴を有する位置であってもよい。また、第１基準位置は、ＯＣＴ画像において、眼底正面画像では位置を特定することが難しい病変部位（例えば、マクラマイクロホール（Ｍａｃｕｌａ  Ｍｉｃｒｏ  ｈｏｌｅ）、急性帯状潜在網膜外層症（ＡＺＯＯＲ）の部位等）を示す形態的特徴を有する位置であってもよい。
【００６４】
第１基準位置設定処理のＳ３において、第１基準位置の設定は、自動で行われても手動で行われてもよい。第１基準位置の設定が自動で行われる場合、ＯＣＴ装置１は、ＯＣＴ画像に対して画像処理を行うことで、被検眼の眼底の形態的特徴位置を特定して、第１基準位置を設定してもよい。第１基準位置の設定が手動で行われる場合、例えば、ＯＣＴ装置１は、ＯＣＴ画像を表示部に表示させた状態で、入力部１６を介してユーザの指示を受け付ければよい。ＯＣＴ装置１は、受け付けた指示に従って、第１基準位置を設定すればよい。この場合、ユーザは、ＯＣＴ画像を見ながら任意に第１基準位置を設定することができる。
【００６５】
上記実施形態において、第１基準位置は、ＯＣＴ画像における、ＩＳ／ＯＳラインにおける隆起位置である。しかしながら、第１基準位置は、ＯＣＴ画像における、視神経乳頭と黄斑とを結ぶ直線および耳側縫線の交点であってもよい。視神経乳頭と黄斑とを結ぶ直線は、例えば、乳頭黄斑束が視神経乳頭側で収束する部位と、乳頭黄斑束が黄斑側で収束する部位とを結ぶ直線である。なお、視神経乳頭と黄斑とを結ぶ直線に対して、耳側縫線は平行ではなく、若干傾いていることが、学会等で報告されている。更に、視神経乳頭と黄斑とを結ぶ直線と耳側縫線とがなす角度は、１７０°程度であると報告されている。また、視神経乳頭と黄斑とを結ぶ直線および耳側縫線の交点（以下、「基準交点」という）を特定する方法は、適宜選択できる。例えば、ＰＳ−ＯＣＴ（偏光感受ＯＣＴ）によって撮影された眼底の二次元ＯＣＴ画像に基づいて、基準交点が特定されてもよい。ＰＳ−ＯＣＴによって撮影されたＯＣＴ画像には、神経繊維の走行状態が現れやすいので、基準交点がより正確に特定され易い。
【００６６】
眼科システム制御処理のＳ２５において、第２基準位置の設定は、自動で行われても手動で行われてもよい。第２基準位置の設定が自動で行われる場合、マイクロペリメータ２は、第１眼底正面画像と第２眼底正面画像とを、画像処理技術を用いて照合して位置合わせすることで、第２基準位置を設定してもよい。第２基準位置の設定が手動で行われる場合、例えばマイクロペリメータ２は、第１眼底正面画像と第２眼底正面画像を表示部２７に表示させながら、入力部２６を介してユーザの指示を受け付けてもよい。マイクロペリメータ２は、受け付けた指示に従って第１眼底正面画像と第２眼底正面画像を位置合わせすることで、第２基準位置を設定してもよい。
【００６７】
上記実施形態において、第１基準位置は、ＯＣＴ装置１のＣＰＵ１１によって設定される（第１基準位置設定処理）。しかしながら、第１基準位置は、マイクロペリメータ２のＣＰＵ２１によって設定されてもよい。この場合、例えば、ＣＰＵ２１は、ＯＣＴ装置１で撮影されたＯＣＴ画像を取得してもよい。ＣＰＵ２１は、第１基準位置設定処理のＳ２と同様に、ＯＣＴ画像に基づき、第１眼底正面画像を生成してもよい。そして、ＣＰＵ２１は、第１基準位置設定処理のＳ３と同様に、第１基準位置を設定してもよい。また、例えば、ＣＰＵ２１は、ＯＣＴ装置１で撮影されたＯＣＴ画像とＯＣＴ装置１で生成された第１眼底正面画像を取得してもよい。そして、ＣＰＵ２１は、第１基準位置設定処理のＳ３と同様に、第１基準位置を設定してもよい。
【００６８】
眼科システム制御処理のＳ２４において、ＣＰＵ２１は、第１眼底正面画像における照合位置として、被検眼の視神経乳頭および網膜血管の少なくとも一方の位置を取得する。しかしながら、ＣＰＵ２１は、第１眼底正面画像における被検眼の視神経乳頭および網膜血管の位置を取得しなくてもよい。この場合、ＣＰＵ２１は、視神経乳頭および網膜血管以外の位置を、照合位置として用いてもよい。
【００６９】
眼科システム制御処理におけるＳ２４の処理は実行されなくてもよい。この場合、例えば、ＣＰＵ２１は、第１眼底正面画像と第２眼底正面画像の相対位置を移動させながら、２つの眼底正面画像間の相関値を算出し、相関値が最も高くなる相対位置を探索することで、２つの眼底画像を照合してもよい。また、例えば、Ｓ２７の処理は実行されなくてもよい。この場合、Ｓ２６において生成された比較データに基づく表示は行われない。比較データは、メモリ（例えば、不揮発性メモリ２４等）に記憶されてもよい。また、例えば、Ｓ２６およびＳ２７の処理が実行されなくてもよい。また、例えば、Ｓ２８からＳ３０の処理は実行されなくてもよい。この場合、視野計部２９を用いた検査は行われない。
【００７０】
マイクロペリメータ２は、同一の被検眼の眼底または異なる被検眼の眼底に対して行われた、複数回の撮影および測定の少なくとも何れかの結果を、各々の撮影および測定の少なくとも何れかが行われた際に撮影された眼底正面画像上に設定された各々の基準位置を一致させた状態で処理してもよい。図５を参照して、本変形例に係る眼底システム制御処理について説明する。マイクロペリメータ２のＣＰＵ２１は、眼底システム制御処理開始の指示を受け付けると、不揮発性メモリ２４に記憶されている、本変形例に係る眼底システム制御プログラムに従って、図５に例示する眼底システム制御処理を実行する。
【００７１】
まず、ＣＰＵ２１は、同一の被検眼の眼底または異なる被検眼の眼底に対して行われた、複数回の撮影および測定の少なくとも何れかの結果を取得する（Ｓ４１）。一例として、ＣＰＵ２１は、同一の被検眼の眼底に対して複数の装置によって行われた、複数回の撮影および測定の少なくとも何れかを取得してもよい。他の一例として、ＣＰＵ２１は、同一の被検眼の眼底に対して同一の装置によって行われた、複数回の撮影および測定の少なくとも何れかを取得してもよい。また、他の一例として、ＣＰＵ２１は、異なる被検眼の眼底に対して行われた、複数回の撮影および測定の少なくとも何れかを取得してもよい。
【００７２】
Ｓ４１を実行後、ＣＰＵ２１は、各々の撮影および測定の少なくとも何れかが行われた際に撮影された眼底正面画像、および、眼底正面画像上に設定された各々の基準位置を取得する（Ｓ４２）。次に、ＣＰＵ２１は、Ｓ４１で取得された複数の結果を、Ｓ４２で取得された各々の眼底正面画像上に設定された各々の基準位置を一致させた状態で処理することで、比較データを生成する（Ｓ４３）。
【００７３】
比較データを生成する処理は、種々の方法によって行われてもよい。一例として、ＣＰＵ２１は、複数回の撮影の結果得られた画像を、眼底正面画像上に設定された各々の基準位置を一致させた状態で画像処理して、比較データとして画像データを生成してもよい。また、他の一例として、ＣＰＵ２１は、複数回の撮影および測定の少なくとも何れかの結果を、眼底正面画像上に設定された各々の基準位置を一致させた状態で解析して、比較データとして解析データを生成してもよい。また、他の一例として、ＣＰＵ２１は、複数回の撮影および測定の結果を、眼底正面画像上に設定された各々の基準位置を一致させた状態で解析してもよい。この場合、ＣＰＵ２１は、撮影の結果得られた画像と解析結果とが基準位置を基準に対応付けされた比較データを生成してもよい。
【００７４】
Ｓ４３を実行後、ＣＰＵ２１は、比較データに基づき、表示部２７に表示を行う（Ｓ４４）。例えば、ＣＰＵ２１は、Ｓ４３で画像データを生成した場合、画像データに基づき、表示部２７に画像を表示させてもよい。例えば、ＣＰＵ２１は、Ｓ４３で解析データを生成した場合、解析データに基づき、表示部２７に解析結果を表示させてもよい。例えば、ＣＰＵ２１は、Ｓ４３で、画像と解析結果とが基準位置を基準に対応付けされた比較データを生成した場合、比較データに基づき、画像と解析結果とを対応付けて表示部２７に解表示させてもよい。なお、Ｓ４４の処理は実行されなくてもよい。この場合、Ｓ４４において生成された比較データに基づく表示は行われない。比較データは、メモリ（例えば、不揮発性メモリ２４等）に記憶されてもよい。ＣＰＵ２１は、眼科システム制御処理終了の指示を受け付けると、眼科システム制御処理を終了する。
【００７５】
上記変形例の眼科システム制御処理におけるＳ４４の処理は実行されなくてもよい。この場合、Ｓ４４において生成された比較データは表示されず、メモリ（例えば、不揮発性メモリ２４等）に記憶されてもよい。
【００７６】
上記実施形態および変形例では、マイクロペリメータ２が、眼科システム制御処理（図３および図５参照）を実行する。しかしながら、マイクロペリメータ２以外の情報処理可能な装置（例えば、ＯＣＴ装置１、パーソナルコンピュータ、画像処理専用機等）が、眼科システム制御処理を実行してもよい。眼科システム制御処理を実行する１つの装置は、本発明の「眼科システム」の一例である。また、複数の装置が、眼科システム制御処理を実行してもよい。複数の装置は、情報処理可能な装置（例えば、ＯＣＴ装置１、マイクロペリメータ２、パーソナルコンピュータ、画像処理専用機等）を含む。複数の装置は、例えば、有線又は無線通信により、画像等のデータの授受を行ってもよい。また、例えば、記録媒体を介して、複数の装置間で画像等のデータの授受が行われてもよい。眼科システム制御処理を実行する複数の装置は、本発明の「眼科システム」の一例である。上記実施形態における眼科システム１００は、本発明の「眼科システム」の一例である。
【００７７】
上記実施形態および変形例におけるＣＰＵ２１は、本発明の「第１正面画像取得手段」、「第１基準位置取得手段」、「第２正面画像取得手段」、および「第２基準位置設定手段」、および「比較データ生成手段」の一例である。上記変形例におけるＣＰＵ２１および上記実施形態におけるＣＰＵ１１は、本発明の「第１基準位置設定手段」の一例である。上記実施形態および変形例におけるＣＰＵ２１は、「照合位置取得手段」の一例である。上記実施形態におけるＣＰＵ２１は、本発明の「測定点設定手段」および「投影手段」の一例である。上記実施形態および変形例におけるＣＰＵ２１は、「比較データ生成手段」の一例である。上記実施形態および変形例におけるＣＰＵ１１およびＣＰＵ２１は、本発明の「制御部」の一例である。
【符号の説明】
【００７８】
１    ＯＣＴ装置
２    マイクロペリメータ
１１    ＣＰＵ
１６    入力部
２１    ＣＰＵ
２６    入力部
２８    眼底撮影部
３０    投影部
１０１    ＯＣＴ画像
１０２    第１眼底正面画像
２０１    第２眼底正面画像
１２１，２２１    視神経乳頭
Ｐ１    第１基準位置
Ｐ２    第２基準位置
【図１】
2019024735.tif 000003
【図２】
2019024735.tif 000004
【図３】
2019024735.tif 000005
【図４】
2019024735.tif 000006
【図５】
2019024735.tif 000007